(57)【要約】【課題】簡素な構成でシャッターを係止して主回路断路部の開放状態を保持し、引出形電気機器を接続位置に移動させるとシャッターの係止を解除するシャッター装置を提供する。【解決手段】主回路部と引出形電気機器とを隔壁する盤壁２と、盤壁２に固定された主回路断路部８と、引出形電気機器を断路位置にしたとき、主回路断路部８を覆うシャッター９と、シャッター９の移動を阻止するスプリング平蝶番２３とを具備し、スプリング平蝶番２３は、常時開く方向に付勢された二枚の蝶番板２０、２１で構成され、一方の蝶番板２０が盤壁２に固定され、他方の蝶番板２１にシャッター９の移動を阻止するストッパー２４を固定していることを特徴とする。【選択図】  図１
2011223779.tif 000002
【特許請求の範囲】
【請求項１】
主回路部と引出形電気機器とを隔壁する盤壁と、
前記盤壁に固定された主回路断路部と、
前記引出形電気機器を断路位置にしたとき、前記主回路断路部を覆うシャッターと、
前記シャッターの移動を阻止するスプリング平蝶番とを具備し、
前記スプリング平蝶番は、常時開く方向に付勢された二枚の蝶番板で構成され、
一方の蝶番板が前記盤壁に固定され、
他方の蝶番板に前記シャッターの移動を阻止するストッパーを固定していることを特徴とする金属閉鎖形スイッチギヤのシャッター装置。
【請求項２】
前記引出形電気機器を断路位置にしたとき、前記シャッターを移動させて前記主回路断路部を開放状態とし、このシャッターに前記ストッパーの凹部を嵌め込むことを特徴とする請求項１に記載の金属閉鎖形スイッチギヤのシャッター装置。
【請求項３】
前記凹部に第１の緩衝部材を設けたことを特徴とする請求項２に記載の金属閉鎖形スイッチギヤのシャッター装置。
【請求項４】
前記他方の蝶番板が当接する前記盤壁面とこの他方の蝶番板面との少なくとも一方に第２の緩衝部材を設けたことを特徴とする請求項１乃至請求項３のいずれか１項に記載の金属閉鎖形スイッチギヤのシャッター装置。
【請求項５】
前記他方の蝶番板が当接する前記盤壁にリミットスイッチを設けたことを特徴とする請求項１乃至請求項４のいずれか１項に記載の金属閉鎖形スイッチギヤのシャッター装置。
【請求項６】
前記引出形電気機器は、真空遮断器であることを特徴とする請求項１乃至請求項５のいずれか１項に記載の金属閉鎖形スイッチギヤのシャッター装置。
【発明の詳細な説明】
【技術分野】
【０００１】
本発明は、引出形電気機器を主回路断路部から遮蔽する金属閉鎖形スイッチギヤのシャッター装置に関する。
【背景技術】
【０００２】
従来、真空遮断器のような引出形電気機器を主回路断路部から引出した断路位置においては、主回路断路部をシャッターで遮蔽するシャッター装置が設けられている（例えば、特許文献１参照。）。
【０００３】
この種のシャッター装置は、図５に示すように、図示中間部の床板１に固定された盤壁２を境として、右側の主回路部３ａと、左側の引出形電気機器部３ｂとに分かれて構成されている。
【０００４】
主回路部３ａには、上部中心導体４を絶縁材料でモールドした上部主回路断路部５が盤壁２に固定されている。上部主回路断路部５の引出形電気機器部３ｂ側には、後述する上部シャッター６が設けられている。上部主回路断路部５の下方向に離間して、下部中心導体７を絶縁材料でモールドした下部主回路断路部８が盤壁２に固定されている。下部主回路断路部８の引出形電気機器部３ｂ側にも、上部シャッター６と同様の動作をする下部シャッター９が設けられている。
【０００５】
引出形電気機器部３ｂには、真空バルブ１０を搭載した真空遮断器１１が床板１に載置され、車輪１２により移動自在に移動できるようになっている。真空バルブ１０の上部には上部主回路導体１３が設けられ、上部主回路断路部５内の上部中心導体４と接離し、また、下部には下部主回路導体１４が設けられ、下部主回路断路部８内の下部中心導体７と接離できるようになっている。
【０００６】
床板１には、ガイド板１５が固定され、シャッターリンク１６の一方端が固定ピン１７で回動自在に固定されている。他方端は、接地電位の下部シャッター９および上部シャッター６に連結されている。上部、下部シャッター６、９には、図示しないが、垂直移動させるためのガイドが設けられ、図示上方向に移動させるように付勢されたバネが取付けられている。
【０００７】
ここで、図５は、真空遮断器１１を断路位置にしたときであり、上部、下部主回路断路部５、８がそれぞれ上部、下部シャッター６、９で覆われている。真空遮断器１１を図示右方向に移動して接続位置にすると、シャッターリンク１６が固定ピン１７を支点として時計方向に回動し、上部、下部シャッター６、９は図示点線で示すようにそれぞれ下方向に移動し、上部、下部主回路断路部５、８が開放されるとともに、主回路が接続される。
【０００８】
一方、断路位置において、上部、下部主回路断路部５、８内を点検する場合には、シャッターリンク１６を時計方向に回動し、コ字状の係止金具１８をガイド板１５に固定することで行われる。即ち、点検員がシャッターリンク１６を係止金具１８でガイド板１５に固定し、上部、下部主回路断路部５、８を開放状態とし、点検作業が行われる。
【先行技術文献】
【特許文献】
【０００９】
【特許文献１】特開平６−２６９１０５号公報  （第３ページ、図１）
【発明の概要】
【発明が解決しようとする課題】
【００１０】
上記の従来のシャッター装置においては、上部、下部主回路断路部５、８内の点検作業終了後、係止金具１８の取外しを忘れると、真空遮断器１１が係止金具１８に引掛かり、接続位置にすることができなくなる問題がある。無理やり移動させようとすると、真空遮断器１１が床板１面から離脱転倒し、損傷することがある。
【００１１】
一方、係止金具１８のような部材を真空遮断器１１の移動に伴って解除させる機構を付加することが考えられるが、部品点数が増大し、組立調整も過大となることが想定される。このため、簡素な構成で、係止金具１８のような部材を引出形電気機器の移動に伴って自動的に解除できるものが望まれていた。
【００１２】
本発明は上記問題を解決するためになされたもので、簡素な構成でシャッターを係止して主回路断路部の開放状態を保持し、引出形電気機器を接続位置方向に移動させるとシャッターの係止を解除できる金属閉鎖形スイッチギヤのシャッター装置を提供することを目的とする。
【課題を解決するための手段】
【００１３】
上記目的を達成するために、本発明の金属閉鎖形スイッチギヤのシャッター装置は、主回路部と引出形電気機器とを隔壁する盤壁と、前記盤壁に固定された主回路断路部と、前記引出形電気機器を断路位置にしたとき、前記主回路断路部を覆うシャッターと、前記シャッターの移動を阻止するスプリング平蝶番とを具備し、前記スプリング平蝶番は、常時開く方向に付勢された二枚の蝶番板で構成され、一方の蝶番板が前記盤壁に固定され、他方の蝶番板に前記シャッターの移動を阻止するストッパーを固定していることを特徴とする。
【発明の効果】
【００１４】
本発明によれば、シャッターを簡素な構成のスプリング平蝶番で係止し、引出形電気機器を接続位置方向に移動させると、これに連動して係止を解除するようにしているので、点検作業後の取外し忘れを防止することができる。
【図面の簡単な説明】
【００１５】
【図１】本発明の実施例１に係る金属閉鎖形スイッチギヤのシャッター装置の構成を示す要部拡大斜視図。
【図２】本発明の実施例２に係る金属閉鎖形スイッチギヤのシャッター装置の構成を示す要部拡大斜視図。
【図３】本発明の実施例３に係る金属閉鎖形スイッチギヤのシャッター装置の構成を一部断面して示す要部拡大上面図。
【図４】本発明の実施例４に係る金属閉鎖形スイッチギヤのシャッター装置の構成を一部断面して示す要部拡大上面図。
【図５】従来の金属閉鎖形スイッチギヤのシャッター装置の構成を示す側面図。
【発明を実施するための形態】
【００１６】
以下、図面を参照して本発明の実施例を説明する。
【実施例１】
【００１７】
先ず、本発明の実施例１に係る金属閉鎖形スイッチギヤのシャッター装置を図１を参照して説明する。図１は、本発明の実施例１に係る金属閉鎖形スイッチギヤのシャッター装置の構成を示す要部拡大斜視図である。なお、図１において、従来と同様の構成部分については、同一符号を付した。また、シャッター装置は、上部と下部とで同様であり、以下、下部を用いて説明する。
【００１８】
図１に示すように、盤壁２には、二枚の第１、第２の蝶番板２０、２１を固定ピン２２で回動自在に固定したスプリング平蝶番２３の第１の蝶番板２０がボルトで固定されている。第２の蝶番板２１には、コ字状のストッパー２４がボルトで固定されている。ストッパー２４の先端部には、下部シャッター９端部を嵌め込む凹部２５が設けられている。
【００１９】
第１、第２の蝶番板２０、２１には、固定ピン２２を支点として図示矢印で示すように開く方向に常時付勢されたバネが固定ピン２２内に設けられている。なお、第２の蝶番板２１と盤壁２間の外部に、開く方向に常時付勢されたバネを設けてもよい。下部シャッター９は、シャッターリンク１６に連結されている。
【００２０】
ここで、図１は、断路位置を示しており、下部主回路断路部８が開放されている。この状態にするには、シャッターリンク１６を回動させ、下部シャッター９を図示下方向に移動させる。そして、第２の蝶番板２１を第１の蝶番板２０方向の閉じる方向に移動させ、凹部２５を下部シャッター９の上部端に嵌め込む。これにより、下部シャッター９が図示上方向に移動することを阻止でき、点検作業をすることができる。
【００２１】
点検終了後、この状態において、真空遮断器１１を接続位置の方向に移動させると、シャッターリンク１６が回動し、下部シャッター９を図示下方向に移動させる。下部シャッター９が凹部２５から外れると、第２の蝶番板２１が第１の蝶番板２０から離れる方向の開く方向に移動する。これにより、ストッパー２４が盤壁２の面まで移動し、下部シャッター９は図示下方向に更に移動し、接続位置にすることができる。このため、従来のような係止金具の取外し忘れを防止することができる。
【００２２】
上記実施例１の金属閉鎖形スイッチギヤのシャッター装置によれば、開く方向に常時付勢されたスプリング平蝶番２３にストッパー２４を固定してシャッター９を係止しているので、断路位置においてシャッター９を係止する構成が簡素となり、また真空遮断器１１を接続位置方向に移動させると、これに連動してストッパー２４がシャッター９から外れ、シャッター９の係止を解除することができる。
【００２３】
上記実施例１では引出形電気機器を真空遮断器１１で説明したが、引出形電気機器に断路器、避雷器、変成器などを用いることができる。また、スプリング平蝶番２３は一般的に金属で構成されるが、これを絶縁物で構成すると、主回路断路部５、８周りの絶縁特性を向上させることができる。
【実施例２】
【００２４】
次に、本発明の実施例２に係る金属閉鎖形スイッチギヤのシャッター装置を図２を参照して説明する。図２は、本発明の実施例２に係る金属閉鎖形スイッチギヤのシャッター装置の構成を示す要部拡大斜視図である。なお、この実施例２が実施例１と異なる点は、第１の緩衝部材を設けたことである。図２において、実施例１と同様の構成部分においては、同一符号を付し、その詳細な説明を省略する。
【００２５】
図２に示すように、ストッパー２４の凹部２５には、ゴムなどの弾性部材からなる第１の緩衝部材２６を設けている。
【００２６】
上記実施例２の金属閉鎖形スイッチギヤのシャッター装置によれば、実施例１による効果のほかに、第１の緩衝部材２６によりシャッター９の損傷を防止することができる。
【実施例３】
【００２７】
次に、本発明の実施例３に係る金属閉鎖形スイッチギヤのシャッター装置を図３を参照して説明する。図３は、本発明の実施例３に係る金属閉鎖形スイッチギヤのシャッター装置の構成を一部断面して示す要部拡大上面図である。なお、この実施例３が実施例２と異なる点は、第２、第３の緩衝部材を設けたことである。図３において、実施例２と同様の構成部分においては、同一符号を付し、その詳細な説明を省略する。
【００２８】
図３に示すように、第２の蝶番板２１とこの第２の蝶番板２１が当接する盤壁２の互いの面の少なくとも一方に、ゴムなどの弾性部材からなる第２、第３の緩衝部材２７、２８を設けている。
【００２９】
上記実施例３の金属閉鎖形スイッチギヤのシャッター装置によれば、実施例２による効果のほかに、第２の蝶番板２１が開いたときの衝撃力を第２、第３の緩衝部材２７、２８で吸収することができる。
【実施例４】
【００３０】
次に、本発明の実施例４に係る金属閉鎖形スイッチギヤのシャッター装置を図４を参照して説明する。図４は、本発明の実施例４に係る金属閉鎖形スイッチギヤのシャッター装置の構成を一部断面して示す要部拡大上面図である。なお、この実施例４が実施例３と異なる点は、リミットスイッチを設けたことである。図４において、実施例３と同様の構成部分においては、同一符号を付し、その詳細な説明を省略する。
【００３１】
図４に示すように、ストッパー２４と対向する盤壁２の面には、リミットスイッチ２９を設けている。リミットスイッチ２９は、図示しない金属閉鎖形スイッチギヤの制御部に接続される。
【００３２】
上記実施例４の金属閉鎖形スイッチギヤのシャッター装置によれば、実施例３による効果のほかに、点検作業中などの信号を外部に出すことができる。
【符号の説明】
【００３３】
１  床板
２  盤壁
３ａ  主回路部
３ｂ  引出形電気機器部
４  上部中心導体
５  上部主回路断路部
６  上部シャッター
７  下部中心導体
８  下部主回路断路部
９  下部シャッター
１０  真空バルブ
１１  真空遮断器
１２  車輪
１３  上部主回路導体
１４  下部主回路導体
１５  ガイド板
１６  シャッターリンク
１７、２２  固定ピン
１８  係止金具
２０  第１の蝶番板
２１  第２の蝶番板
２３  スプリング平蝶番
２４  ストッパー
２５  凹部
２６  第１の緩衝部材
２７  第２の緩衝部材
２８  第３の緩衝部材
２９  リミットスイッチ
【図１】
2011223779.tif 000003
【図２】
2011223779.tif 000004
【図３】
2011223779.tif 000005
【図４】
2011223779.tif 000006
【図５】
2011223779.tif 000007